(57)【要約】【課題】おむつ外への排泄液漏れを有効に抑えつつ装着性に優れた使い捨ておむつを提供することを目的とし、特に横向き寝における排泄液漏れを確実に防止しつつ装着性に優れた使い捨ておむつを提供する。【解決手段】バックシート２３と透液性のトップシート１１との間に吸液性のメイン吸収体３０を備え、該メイン吸収体の幅方向の両端部のそれぞれに沿って、該メイン吸収体の長手方向に伸縮する一対の立体ギャザー４３が設けられている使い捨ておむつ１０である。前記立体ギャザーには、該長手方向に対して部分的に補助吸収体３２が設けられている。【選択図】　　　図１
2004081575.tif 000002
【特許請求の範囲】
【請求項１】
バックシートと透液性のトップシートとの間に吸液性のメイン吸収体を備え、該メイン吸収体の幅方向の両端部のそれぞれに沿って、該メイン吸収体の長手方向に伸縮する一対の立体ギャザーが設けられている使い捨ておむつにおいて、
前記立体ギャザーには、該長手方向に対して部分的に補助吸収体が設けられていることを特徴とする使い捨ておむつ。
【請求項２】
前記使い捨ておむつは、前記長手方向の略中央の所定位置を境界線に前身頃側と後身頃側とに区分され、
前記補助吸収体は、少なくとも立体ギャザーにおける前記後身頃側の部分に設けられることを特徴とする請求項１に記載の使い捨ておむつ。
【請求項３】
前記補助吸収体が設けられる前記後身頃側の部分は、装着時に臀部が当接する部分であることを特徴とする請求項２に記載の使い捨ておむつ。
【請求項４】
前記補助吸収体は、立体ギャザーの長手方向の全長よりも短い所定範囲の部分に設けられていることを特徴とする請求項１乃至３のいずれかに記載の使い捨ておむつ。
【請求項５】
前記補助吸収体は、立体ギャザーの長手方向のうち一箇所に設けられることを特徴とする請求項１乃至４のいずれかに記載の使い捨ておむつ。
【請求項６】
少なくとも前記バックシートは前記メイン吸収体より幅方向に延出してサイドフラップを形成し、
前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、
前記補助吸収体は、幅方向の固定端側の部分に設けられていることを特徴とする請求項１乃至５のいずれかに記載の使い捨ておむつ。
【請求項７】
少なくとも前記バックシートは前記メイン吸収体より幅方向に延出してサイドフラップを形成し、
前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、
前記補助吸収体は、幅方向の自由端側の部分に設けられていることを特徴とする請求項１乃至５のいずれかに記載の使い捨ておむつ。
【請求項８】
少なくとも前記バックシートは前記メイン吸収体より幅方向に延出してサイドフラップを形成し、
前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、
前記補助吸収体は前記固定端に設けられていることを特徴とする請求項１乃至５のいずれかに記載の使い捨ておむつ。
【請求項９】
前記補助吸収体は吸液性シートであり、該吸液性シートが立体ギャザーに対面して貼着されることを特徴とする請求項１乃至８のいずれかに記載の使い捨ておむつ。
【請求項１０】
前記吸液性シートは、高吸収性樹脂を担持した不織布または織布を基材とすることを特徴とする請求項９に記載の使い捨ておむつ。
【請求項１１】
前記吸液性シートはクレープ紙を基材とすることを特徴とする請求項９に記載の使い捨ておむつ。
【発明の詳細な説明】
【０００１】
【発明の属する技術分野】
本発明は使い捨ておむつに関する。
【０００２】
【従来の技術】
図１５に、従来から市場に提供されているテープ式使い捨ておむつ１００を示す。ここで、図１５（ａ）は当該使い捨ておむつ１００の展開状態における平面図、図１５（ｂ）は、図１５（ａ）中のＢ−Ｂ線矢視の縦断面図であり、図中、接着される部分を×印で示している。
【０００３】
図１５（ｂ）に示すように、この使い捨ておむつ１００は、バックシートとしてのおむつ外形をなす外形シート２３の表面側に、不透液性の防漏シート２１、吸液性のメイン吸収体３０、および透液性のトップシート１１をこの順番で重ね合わせて構成される。そして、最近では、尿等の排泄液の横漏れ防止のために、メイン吸収体３０の幅方向の両端部に沿って立体ギャザー４３を設けたものが主流となっている。
【０００４】
この使い捨ておむつ１００の展開状態における平面外形は、図１５（ａ）のように略砂時計形状を呈し、その長手方向の中央部に位置する括れた部分が、装着者の股間部にあてがわれる股下部７となっている。その股下部７から長手方向の前方には、装着者の腹部にあてがわれる前身頃３が、また後方には背部にあてがわれる後身頃５が延在している。そして、この前身頃３と後身頃５との幅方向の両端部がファスニングテープ５５等によって接合されて、左右一対の脚周り開口部と胴周り開口部とが形成されるようになっている。
【０００５】
図１６に装着状態における胴周りでの断面図を示す。尚、図１６は装着者が横向き寝の状態で描かれている。また、図の錯綜を避けるため、前記防漏シート２１は描いていない。
この装着状態にあっては、前身頃３、後身頃５、および股下部７におけるメイン吸収体３０が、このメイン吸収体３０上に排尿された尿２を所定の吸収速度で吸収する。そして、この間、前記立体ギャザー４３は、メイン吸収体３０上に起立して装着者１の肌１ａと当接し、メイン吸収体３０上に滞留する尿２をせき止める堰となり、もっておむつ外への漏出２ａを防ぐようになっている。尚、同図中、尿漏れの流れ２ａの様子を破線矢印にて示す。
【０００６】
最近では、このような使い捨ておむつ１００は、乳幼児に限らず、成人に対しても使用されることが多く、この成人使用者の大半は寝たきり状態の人である。この寝たきりの使用者に対しては、通常、その床ずれ防止を目的として、定期的に仰向け寝、横向け寝といったように体位転換が行われるが、このうちの横向き寝は最も尿漏れし易い体位である。
【０００７】
この横向け寝での尿漏れの原因を本願発明者が調査したところ、図１６に示すように、この横向き寝の体位においては、床Ｇと当接する片側の臀部に集中的に体重がかかり、この臀部と当接する立体ギャザー４３の部分が完全に潰れてしまっていて堰として有効に機能しないためであることがわかった。つまり、横向き寝において尿２が漏れ出す部分は、図１５（ａ）に一点鎖線で示す臀部と当接する立体ギャザーの部分４３ａであることを特定し、この部分４３ａからの漏れを防止すれば、横向き寝での尿漏れを防止できることを知得した。尚、図１６にあっては、図が見え難くなるため、立体ギャザー４３が潰れた状態では描いてはいない。
【０００８】
一方、最近、この横向き寝での尿漏れを防止可能な使い捨ておむつが市場に提供されている。この使い捨ておむつは、図１５（ａ）に示すように立体ギャザー４３の長手方向の全長に亘って、立体ギャザー４３に補助吸収体１３２を追設したものである。そして、これにより、装着状態にて形成される左右一対の脚周り開口部の周囲を、ほぼその全周に亘って前記補助吸収体１３２にて覆って、もって装着者の脚周りからの尿漏れを防ぐようになっている。
【０００９】
【発明が解決しようとする課題】
しかしながら、立体ギャザー４３の長手方向の全長に亘って補助吸収体１３２を設けると、この補助吸収体１３２に拘束されて立体ギャザー４３の長手方向の伸縮性が著しく損なわれてしまう。つまり、装着者の脚等の動きに追従して自在かつ柔軟に長手方向の伸縮変形できなくなる。そして、この結果、脚等の動きによっては、長手方向に十分縮小することができずに、立体ギャザー４３と装着者の肌との間に隙間を生じ、この隙間から尿漏れを起こす虞があり、更に、脚等の動きによっては、長手方向に十分に伸長することができずに、立体ギャザー４３が全体的に脚等を締め付けたり、部分的にきつく当たったりする虞もある。
【００１０】
本発明はかかる従来の課題に鑑みて成されたもので、おむつ外への排泄液漏れを有効に抑えつつ装着性に優れた使い捨ておむつを提供することを目的とし、特に横向き寝における排泄液漏れを確実に防止しつつ装着性に優れた使い捨ておむつを提供することを目的とする。
【００１１】
【課題を解決するための手段】
かかる目的を達成するために請求項１に示す発明は、バックシートと透液性のトップシートとの間に吸液性のメイン吸収体を備え、該メイン吸収体の幅方向の両端部のそれぞれに沿って、該メイン吸収体の長手方向に伸縮する一対の立体ギャザーが設けられている使い捨ておむつにおいて、前記立体ギャザーには、該長手方向に対して部分的に補助吸収体が設けられていることを特徴とする。
【００１２】
上記発明によれば、立体ギャザーには、その長手方向に対して部分的に補助吸収体が設けられている。よって、前記補助吸収体を、長手方向の特に排泄液漏れし易い部分に対して設ければ、この立体ギャザーの潰れに伴ってこの部分を乗り越えようとする排泄液を、前記補助吸収体によって吸収することができる。よって、排泄液漏れを確実に防ぐことができる。
【００１３】
尚、立体ギャザーにおける補助吸収体が設けられた部分に限っては、その伸縮変形を補助吸収体に拘束されて長手方向の伸縮性が低下する。しかしながら、この設けられた部分以外の立体ギャザーの部分が、装着者の動作や体勢等の変化に応じて柔軟に伸縮して、前記設けられた部分の伸縮性の低下を補うので、長手方向の全長の伸縮性はほぼ一定に維持される。つまり、前記設けられた部分によって少なくなった伸縮量を、設けられていない部分が余分に伸縮することによって補うので、立体ギャザーの長手方向の全長の伸縮量をほぼ一定に維持することができる。よって、立体ギャザーが肌にきつく当たることが抑えられるとともに、長手方向のほぼ全長に亘って装着者の肌に密着可能となる。従って、立体ギャザーによって脚周りがきつく締め付けられたり、立体ギャザーと肌との間に隙間が生じて排泄液漏れを起こしたりすることは抑えられ、もってその装着性を良好にしつつ排泄液漏れを確実に防止できる。
【００１４】
また、前記補助吸収体の大きさを、これが設けられる部分に対応した寸法にまで小さくすることができる。よって、この種の使い捨ておむつ、すなわち立体ギャザーに補助吸収体を備えたタイプの使い捨ておむつの製造単価を低く抑えることができる。
【００１５】
請求項２に示す発明は、請求項１に記載の使い捨ておむつにおいて、前記使い捨ておむつは、前記長手方向の略中央の所定位置を境界線に前身頃側と後身頃側とに区分され、前記補助吸収体は、少なくとも立体ギャザーにおける前記後身頃側の部分に設けられることを特徴とする。
上記発明によれば、横向き寝の体位において装着者の体重が集中的に作用して潰され易い、立体ギャザーにおける後身頃側の部分に対して少なくとも補助吸収体を設けている。よって、この潰れた部分を乗り越えておむつ外へと漏れ出る排泄液を、前記補助吸収体によって吸収しその漏出を防ぐことができて、もって横向き寝での排泄液漏れを確実に防止可能となる。
【００１６】
請求項３に示す発明は、請求項２に記載の使い捨ておむつにおいて、前記補助吸収体が設けられる前記後身頃側の部分は、装着時に臀部が当接する部分であることを特徴とする。
上記発明によれば、横向き寝の体位において装着者の体重が集中的に作用して潰され易い、臀部と当接する立体ギャザーの部分に対して補助吸収体を設けている。よって、この潰れた部分を乗り越えておむつ外へと漏れ出る排泄液を、前記補助吸収体によって吸収しその漏出を防ぐことができて、もって横向き寝での排泄液漏れを確実に防止可能となる。
【００１７】
請求項４に示す発明は、請求項１乃至３のいずれかに記載の使い捨ておむつにおいて、前記補助吸収体は、立体ギャザーの長手方向の全長よりも短い所定範囲の部分に設けられていることを特徴とする。
上記発明によれば、請求項１に記載の発明と同じ作用を奏することができる。
【００１８】
請求項５に示す発明は、請求項１乃至４のいずれかに記載の使い捨ておむつにおいて、前記補助吸収体は、立体ギャザーの長手方向のうち一箇所に設けられることを特徴とする。
上記発明によれば、補助吸収体は、立体ギャザーの長手方向のうち一箇所に設けられる。よって、この補助吸収体が設けられることに伴って伸縮性が低下する立体ギャザーの部分を最小限に抑えることができて、もって使い捨ておむつの装着性を更に良好にすることができる。
【００１９】
請求項６に示す発明は、請求項１乃至５のいずれかに記載の使い捨ておむつにおいて、少なくとも前記バックシートは前記メイン吸収体より幅方向に延出してサイドフラップを形成し、前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、前記補助吸収体は、幅方向の固定端側の部分に設けられていることを特徴とする。
上記発明によれば、前記補助吸収体は、立体ギャザーの幅方向における固定端側に設けられており、つまり立体ギャザーの自由端よりも離れた位置に設けられている。よって、前記自由端側の部分に設けられる弾性部材の弾性伸縮変形を前記補助吸収体は拘束し難く、もってこの弾性部材にて付与される立体ギャザーの伸縮性を、補助吸収体が設けられた部分においても損なわないようにすることができる。
【００２０】
請求項７に示す発明は、請求項１乃至５のいずれかに記載の使い捨ておむつにおいて、少なくとも前記バックシートは前記メイン吸収体より幅方向に延出してサイドフラップを形成し、前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、前記補助吸収体は、幅方向の自由端側の部分に設けられていることを特徴とする。
上記発明によれば、前記補助吸収体は、立体ギャザーの幅方向における自由端側に設けられている。そして、この自由端側の部分は、排泄液が立体ギャザーを乗り越えて漏れ出す際に、必ず乗り越えなければならない部分である。よって、立体ギャザーを乗り越えようとする排泄液を、該自由端側の部分に設けられた補助吸収体によって有効に吸収することができる。
【００２１】
請求項８に示す発明は、請求項１乃至５のいずれかに記載の使い捨ておむつにおいて、少なくとも前記バックシートは前記メイン吸収体より幅方向に延出してサイドフラップを形成し、前記立体ギャザーは、前記サイドフラップ上または前記メイン吸収体の端部上を固定端とするとともに、該固定端から前記メイン吸収体の幅方向中央側に自由端が位置するように設けられる一方、該立体ギャザーの自由端側の部分には前記長手方向の伸縮性を付与するための弾性部材が設けられ、前記補助吸収体は前記固定端に設けられていることを特徴とする。
上記発明によれば、前記補助吸収体は、立体ギャザーの固定端に設けられており、つまり立体ギャザーの自由端よりも離れた位置に設けられている。よって、前記自由端側の部分に設けられる弾性部材の弾性伸縮変形を前記補助吸収体は拘束し難く、もってこの弾性部材にて付与される立体ギャザーの伸縮性を、補助吸収体が設けられた部分においても損なわないようにすることができる。
【００２２】
請求項９に示す発明は、請求項１乃至８のいずれかに記載の使い捨ておむつにおいて、　前記補助吸収体は吸液性シートであり、該吸液性シートが立体ギャザーに対面して貼着されることを特徴とする。
上記発明によれば、立体ギャザーにおける補助吸収体が設けられる部分には、吸液性シートが対面して貼着される。よって、補助吸収体が設けられた部分の立体ギャザー厚みが厚手になるのを抑えることができて、もって当該部分の立体ギャザーのごわつきを抑えて装着性を更に良好にすることができる。
【００２３】
請求項１０に示す発明は、請求項９に記載の使い捨ておむつにおいて、前記吸液性シートは、高吸収性樹脂を担持した不織布または織布を基材とすることを特徴とする。
上記発明によれば、吸液性シートは、不織布または織布を基材とするため柔軟に曲げ変形することができて、これが貼り着けられた立体ギャザーの部分の変形を大きく拘束することはない。よって、この吸液性シートが貼着された前記部分のごわつきを極力抑え、その装着性の低下を抑えることができる。
【００２４】
また、吸液性シートは高吸収性樹脂を担持しているので、この吸液性シートにて吸収した排泄液は、主に高吸収性樹脂に吸収される。この高吸収性樹脂は、水と接触すると吸水・膨潤してゲル状となり、一旦吸水したら多少の圧力を加えても離水しない。よって、この吸収後に前記吸液性シートに、装着者の体重がかかっても、吸収された排泄液を再び放すことはなく保液安定性に優れ、もって立体ギャザーに体重がかかる横向き寝での排泄液漏れをより確実に防止可能となる。
【００２５】
請求項１１に示す発明は、請求項９に記載の使い捨ておむつにおいて、前記吸液性シートはクレープ紙を基材とすることを特徴とする。
上記発明によれば、吸液性シートはクレープ紙を基材とするため柔軟に曲げ変形することができて、これが貼り着けられた立体ギャザーの部分の変形を大きく拘束することはない。よって、この吸液性シートが貼着された前記部分のごわつきを極力抑え、その装着性の低下を抑えることができる。
【００２６】
【発明の実施の形態】
以下、本発明に係る実施形態についてテープ式の使い捨ておむつ、すなわち装着時にファスニングテープで前身頃と後身頃とを接合する形式の使い捨ておむつを例に詳細に説明する。尚、本発明は、前身頃と後身頃とを予め接合してなるパンツ式使い捨ておむつに対しても全く同様に適用することができる。
【００２７】
＝＝＝　本発明に係る使い捨ておむつの基本構成　＝＝＝
−−−　（１）使い捨ておむつの全体構成　−−−
図１（ａ）は本発明に係る第１実施形態の使い捨ておむつの展開状態における平面図である。また、図１（ｂ）は、図１（ａ）中のＢ−Ｂ線矢視の縦断面図であり、図２は、図１（ａ）中のＩＩ−ＩＩ線矢視の縦断面図である。
【００２８】
図１に示すように、この使い捨ておむつ１０は、透液性のトップシート１１と、このトップシート１１との間にメイン吸収体３０を介装する不透液性の防漏シート２１と、この防漏シート２１の裏側全面を覆いつつメイン吸収体３０よりも幅方向へ延出する部分において後記立体ギャザーシート４１と共にサイドフラップ５１を構成するバックシートとしての外形シート２３と、トップシート１１上におけるメイン吸収体３０の両端部にて起立する立体ギャザー４３を長手方向に沿って形成する立体ギャザーシート４１とから主に構成される。
【００２９】
−−−　（２）メイン吸収体　−−−
前記メイン吸収体３０は、セルロース繊維材料等の綿状パルプを層状に成形した略平面視砂時計状の吸収層３１を主材とし、この吸収層３１の全体を透水性シート３３としてのクレープ紙によって包んで構成される。詳細には、この吸収層３１の表裏面および四つの側面は、前記クレープ紙３３によって春巻き状にくるまれて被覆されている。尚、前記綿状パルプには、吸収層３１の可能吸収容量を大きくすべく、高吸収性樹脂を添加するのが望ましい。
【００３０】
−−−　（３）防漏シート　−−−
このメイン吸収体３０の裏面側には前記防漏シート２１が配されていて、このメイン吸収体３０の裏面全面を覆って貼着されるとともに、裏面から表面側に回り込んだ防漏シート２１の端部が、前記メイン吸収体３０の各側面に貼着され、もって防漏シート２１とメイン吸収体３０とは接着一体化されている。この貼着は、ホットメルト接着剤によってなされる。尚、以降の説明で出てくる接着に関する記載は、基本的にホットメルト接着剤によってなされ、その都度説明はしない。
【００３１】
この防漏シート２１は、おむつの裏面側における防漏性を高めるためのものであり、その素材としてはポリエチレンプラスチックフィルムなどが好適である。尚、好ましくは、前記ポリエチレンフィルムに、液体分子を透過させない程度の多数の微孔を設け、蒸れ防止とするのが良い。
また、必要に応じて、前記メイン吸収体３０の表面には、排泄液の表面拡散を促すべく、その全面を覆って不織布製拡散シート（不図示）を敷くと良い。
【００３２】
−−−　（４）トップシート　−−−
他方、このメイン吸収体３０の表面は、その全面に亘って前記透液性のトップシート１１によって覆われている。そして、メイン吸収体３０よりも幅方向へ若干延出するトップシート１１の部分１１ａは、メイン吸収体３０の裏面側に配される後記外形シート２３に貼り合わされ、もって両シート１１，２３間にメイン吸収体３０が保持されている。このトップシート１１は親水性の不織布や織布等であり、その構成繊維は、ポリプロピレン、ポリエチレン、ポリエステル、ナイロン等の単繊維、若しくはこれらのうちの２成分以上からなる複合繊維にて構成される。
【００３３】
−−−　（５）外形シート（バックシート）　−−−
前記外形シート２３は、前記メイン吸収体３０と類似形状の平面視砂時計形状を呈しているが、このメイン吸収体３０よりも平面的には大きいものであり、メイン吸収体３０から大きく幅方向に延出する部分は、後述する立体ギャザーシート４１とでサイドフラップ５１を構成するようになっている。そして、この外形シート２３の長手方向の中央に、互いの括れ部を一致させつつ前記メイン吸収体３０が配されて、前述したメイン吸収体３０表面を覆うトップシート１１の延出部分１１ａと貼着される。この外形シート２３は、通気性および撥水性を共に備えた単層の不織布シート、若しくは通気性を有する不織布に撥水性を備えた不織布を貼り合わせた複層の不織布シート等を用いることができる。尚、この外形シート２３には、必要に応じて糸状ゴムや帯状ゴム等の弾性伸縮部材を適宜幅方向および長手方向に配置することにより、または外形シート２３自体を弾性伸縮性素材にて構成することにより、外形シート２３に弾性伸縮性を付与しても良い。
【００３４】
−−−　（６）立体ギャザーシート　−−−
前記立体ギャザーシート４１はシート基材からなり、トップシート１１を介しつつ前記メイン吸収体３０の幅方向の両端部をそれぞれに覆って一対が、メイン吸収体３０の長手方向に亘って配されている。そして、各立体ギャザーシート４１は、メイン吸収体３０の前記各端部に沿ってトップシート１１または外形シート２３に貼着固定されて立体ギャザー４３の固定端４５を形成する。この固定端４５よりもメイン吸収体３０の幅方向中央側には、立体ギャザー４３の自由端４７ａが存在し、つまりこの固定端４５から自由端４７ａまでの部分が立体ギャザー４３となっている。この立体ギャザー４３のうちの自由端側部分４７は、トップシート１１を介してメイン吸収体３０の前記端部上で起立する一方、固定端側部分４９はメイン吸収体３０上のトップシート１１面に接離可能に重なっている。
【００３５】
一方、この固定端４５からは、幅方向の外側に向けて外形シート２３と同形状に延出し、この延出部分４２は外形シート２３に貼り合わされてサイドフラップ５１を構成する。このサイドフラップ５１は、装着者の腹部にあてがう前身頃３および背部にあてがう後身頃５については幅広に形成される一方、股間部にあてがう股下部７については幅狭に形成され、もって、使い捨ておむつ１０の外形は平面視略砂時計状になっている。
【００３６】
また、この立体ギャザーシート４１は、立体ギャザー４３の自由端４７ａにて折り返された２枚重ねの状態で使用され、この折り返し部４７ａには、この長手方向に沿って少なくとも１本の糸状ゴム５３ａが介装されている。この糸状ゴム５３ａは、伸長状態で前記折り返し部４７ａに接着固定されていて、この折り返し部である自由端４７ａを長手方向に収縮するようになっている。そして、装着状態にあっては、この収縮力によって前記立体ギャザー４３の自由端側部分４７は起立する一方、立体ギャザー４３は長手方向に伸縮可能となっている。
【００３７】
−−−　（７）その他の構成要素　−−−
前記サイドフラップ５１の幅方向の両端部には、各端部に沿って、複数本の糸状ゴム５３ｂが伸長状態にて前記二枚重ねのシート４１間に介装固定されており、その収縮力によって左右一対の脚周りギャザーを形成している。この糸状ゴム５３ａ，５３ｂとしては、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材が適用される。尚、この糸状ゴム５３ｂは必須構成ではなく、脚周りギャザーはなくても良い。
【００３８】
前記後身頃５のサイドフラップ５１の幅方向の両端部５１ａには、このサイドフラップ５１を前身頃３のサイドフラップ５１と接合して、当該おむつ１０を装着者に装着させるためのファスニングテープ５５がそれぞれ設けられている。
【００３９】
−−−　（８）使い捨ておむつの装着　−−−
以上の構成からなる使い捨ておむつ１０を装着者に装着した状態を、前述した図１６を参照して説明する。前述したようにこの装着状態においては、前身頃３が装着者の腹部に、後身頃５が背部に、そして股下部７が股間部にそれぞれあてがわれるとともに、これら前身頃３、後身頃５、および股下部７における立体ギャザー４３の自由端側部分４７は起立して装着者１の肌１ａに当接し、メイン吸収体３０上に尿２をせき止める堰となり、もっておむつ外への尿漏れ２ａを防止するようになっている。
【００４０】
＝＝＝　本発明に係る使い捨ておむつの特徴的事項　＝＝＝
尚、以上説明してきた構成は、通常の使い捨ておむつと概ね同じであり、以下にて説明する内容が本発明の特徴的事項である。
図１に示すように、本発明に係る立体ギャザー４３には、長手方向に対して部分的に補助吸収体３２が設けられている。特に本第１実施形態にあっては、横向き寝の体位で排尿した場合の臀部から尿漏れを防止すべく、装着時に臀部が当接する部分にのみ補助吸収体３２が選択的に設けられ、それ以外の部分には設けられていない。尚、以下では、立体ギャザー４３における補助吸収体３２が設けられた部分を設置部分と言い、設けられていない部分を非設置部分と言う。
【００４１】
この補助吸収体３２は、適度な可撓性を有する矩形状の吸液性シートであり、図１に示すように立体ギャザー４３を形成するために折り返されて二枚重ね状態の立体ギャザーシート４１同士の間に介装され、吸液性シート３２の両面が、それぞれに対面する各立体ギャザーシート４１に貼着されている。そして、その設置部分の平面範囲は、長手方向には、図１（ａ）に示すように臀部が当接する範囲に限定されており、また幅方向には、図１（ｂ）に示すように立体ギャザー４３のほぼ全範囲に亘り、すなわち立体ギャザー４３の固定端４５から自由端４７ａまでの範囲に亘っている。
【００４２】
尚、前記設置部分は、その補助吸収体３２へと排泄液を誘導させるために透液性に形成される一方、前記非設置部分は、堰として有効に機能させるために撥水性に形成されている。このような立体ギャザーシート４１は、親水性のシート基材を用いて、そのうちの前記設置部分に相当する部分以外の部分を撥水加工することで得られる。親水性のシート基材としては不織布や織布等であり、これらの構成繊維は、ポリプロピレン、ポリエチレン、ポリエステル、ナイロン等の単繊維、またはポリプロピレン、ポリエチレン、ポリエステル、ナイロン等のうちの２成分からなる複合繊維を用いることができる。また、前記撥水加工は、シリコン系、パラフィン金属系、アルキルクロミッククロイド系撥水剤等を前記シート基材にコーティングして繊維を疎水性にすることによりなされる。
【００４３】
ところで、立体ギャザー４３に長手方向の伸縮性を付与するための糸状ゴム５３ａは、立体ギャザー４３の長手方向に亘って配されており、つまりこの補助吸収体３２が介装された前記設置部分にも、この設置部分の前後の非設置部分から連続して配されている。このため、基本的には、この設置部分の立体ギャザー４３も長手方向に伸縮可能であるが、その伸縮変形は前記補助吸収体３２により大きく拘束されていて、もってこの設置部分における伸縮性は著しく小さくなっている。
【００４４】
但し、本発明にあっては、補助吸収体３２が介装されない前記非設置部分の立体ギャザー４３が、長手方向に柔軟に伸縮変形して前記設置部分の伸縮性の低下を補うので、長手方向の全長の伸縮性はほぼ一定に維持される。つまり、前記設置部分によって少なくなった伸縮量を、前記非設置部分が余分に伸縮することによって補うので、立体ギャザー４３の長手方向の全伸縮量をほぼ一定に維持可能となる。よって、使い捨ておむつ１０の装着状態において、立体ギャザー４３が装着者の脚周り等の肌にきつく当たることが抑えられるとともに、長手方向のほぼ全長に亘って前記肌に密着可能となる。従って、立体ギャザー４３によって脚周りがきつく締め付けられたり、立体ギャザー４３と肌との間に隙間が生じて排泄液漏れを起こしたりすることは抑えられ、もって装着性を良好にしつつ排泄液漏れを確実に防止可能となっている。
【００４５】
また、図１（ａ）に示すように、前記補助吸収体３２を、横向き寝の装着者の体重にて潰され易い、臀部と当接する立体ギャザー４３の部分に設けている。よって、この潰れた部分を乗り越えておむつ外へと漏れ出る排泄液を、前記補助吸収体３２によって速やかに吸収してその漏出を確実に防ぐことができて、もって横向き寝での排泄液漏れを確実に防止可能となる。
【００４６】
尚、前記補助吸収体３２の大きさは、立体ギャザー４３の前記設置部分に対応した大きさであれば十分である。よって、補助吸収体３２を必要最小限な大きさにまで小さくすることができて、もってこの種の使い捨ておむつ１０、すなわち立体ギャザー４３に補助吸収体３２を備えたタイプの使い捨ておむつ１０の製造単価を低く抑えることができる。
【００４７】
ここで、前記吸液性シート３２の好ましい実施形態を説明する。この吸液シート３２としては、クレープ紙、またはセルロース繊維からなるパルプ不織布やパルプ織布、並びにこれに高吸収性樹脂を添加したもの等、つまり所定の吸収性と適度な可撓性とを有するものであれば使用することができる。但し、特開平２００１−３０９９４０号公報にて開示されたシートであれば、上記に加えて、吸液前のドライ状態および吸液後のウエット状態のいずれの状態においても、その強度に優れて安定して使用できるため特に好適である。
【００４８】
図３に、前記公報に開示された吸液性シートの縦断面図を示すが、この吸液性シート３２は、シート状支持体３２ａ上に高吸収性樹脂３２ｂを固着したものである。そして、ドライまたはウエット状態で通常は低下しがちな高吸収性樹脂３２ｂの前記固着力を十分大きく確保するために、このシート状支持体３２ａには、更に、水中溶解温度が３５〜９０℃であって水分との接触により粘着性を示す水溶性繊維３２ｃと、これらシート状支持体３２ａ、高吸収性樹脂３２ｂ、および水溶性繊維３２ｃを相互に接着するためのバインダー樹脂３２ｄとが添加されている。
【００４９】
前記水溶性繊維３２ｃが添加されている理由は、この水溶性繊維３２ｃは水との接触により粘着性、収縮性、および膨潤性を示し、これらによって吸液性シート３２のウエット強度が高まるためである。すなわち、高吸収性樹脂３２ｂが排泄液を吸収した際には、この水溶性繊維３２ｃは粘着性を発現し高吸収性樹脂３２ｂをシート状支持体３２ａから脱落させることなくしっかりと保持可能となる。また、これと同時に収縮性を発現し、もってこの水溶性繊維３２ｃ、シート状支持体３２ａを構成する繊維、および高吸収性樹脂３２ｂの間で絡み合いを起こして高吸収性樹脂３２ｂを更に強固に固着可能となるとともに、前記絡み合いによってウエット強度が更に向上する。更には、膨潤性を発現することにより、前記粘着性および絡み合いによる固着力を更に高めることができる。
【００５０】
一方、バインダー樹脂３２ｄが添加されている理由は、吸液性シート３２のドライ強度を高めるためである。すなわち、排泄液吸収時の固着力は前述した水溶性繊維３２ｃの粘着作用等によって確保可能であるが、ドライ状態では固着力は十分でなく、これを補う必要があるからである。
【００５１】
前記シート状支持体３２ａは、適度な可撓性を有する不織布又は織布であり、その素材には、ポリエチレンまたはポリプロピレン等のオレフィン系、ポリエステル系、ポリアミド系等の疎水性合成繊維や、レーヨンやキュプラ等の再生セルロース繊維や、綿、フラッフパルプ等の天然セルロース繊維を用いることができる。
【００５２】
前記高吸収性樹脂３２ｂは、Ｖｏｒｔｅｘ法による生理食塩水の吸水速度試験において、その吸収速度が６０秒以下であるものが好適である。これは、本吸液性シート３２には吸収速度の速いパルプ繊維を用いない場合があり、その場合には、初期吸収力の低下が懸念され、この初期吸収力の低下を補う必要があるからである。
【００５３】
前記Ｖｏｒｔｅｘ法による吸水速度試験方法は、回転子入り１００ｍｌビーカーに、０．９％塩化ナトリウム水溶液５．００±０．０１ｇを加え、恒温水槽内で２５±０．２℃に一定に保持し、次いでマグネチックスターラーおよび回転体測定器を使用し、６００±１０ｒｐｍで撹拌し、試料２．００００±０．０００２ｇを秤量して渦中に投入し、同時にストップウオッチによる計測を開始する。渦が消えて液面が水平になった時点を終点とし、終点までに要した時間を吸収速度とする試験方法である。
【００５４】
このような高吸収性樹脂３２ｂとしては、例えばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミド等の水膨潤性ポリマーを部分架橋したもの等が挙げられる。これらの中では、特に、吸水量、吸水速度に優れるアクリル酸またはアクリル酸塩系のものが好適である。この吸水量および吸水速度の調整は、架橋密度および架橋密度勾配を変化させることによって行うことができる。
【００５５】
前記水溶性繊維３２ｃは、でんぷん、ナトリウムカルボキシメチルセルロース等の天然水溶性繊維、ポリビニルアルコール、ポリアクリルアミド、カチオン性樹脂、ポリアクリル酸とその誘導体、ポリエチレンオキシド等の合成繊維等が挙げられる。前記水中溶解温度の３５〜９０℃への調整は、分子量、ケン化度等を変化することにより行うことができる。
【００５６】
ここで、水中溶解温度が３５〜９０℃が望ましい理由は、３５℃未満の場合には、吸液性シートが排泄液を吸収した際に容易に溶解してしまうため好ましくなく、９０℃を超える場合には排泄液程度の水分との接触では粘着性を発現することが困難だからである。前記水中溶解温度とは、１ｇの繊維サンプルを所定温度の水に２４時間浸せきした場合に、前記繊維サンプルが殆ど溶解消失する最低の水温を言う。
【００５７】
また、前記水溶性繊維３２ｃは、水温２０〜３０℃の温度条件下で、５〜５５％の収縮性を示すものが好適である。これは収縮率が５％未満の場合には、この水溶性繊維３２ｃ、シート状支持体３２ａを構成する繊維、および高吸収性樹脂３２ｂの間で絡み合いが十分得られないため、所望のウエット強度を得られず、他方、収縮率が５５％を超えるとバインダー樹脂３２ｄを散布するためのバインダー混合水を散水した際にダマになりやすく、十分な固着強度が得られないからである。尚、この繊維収縮率は、ＪＩＳ　Ｌ　１０１５（１９９２）化学繊維ステープル試験方法に準拠してなされ、下式（１）により算出される。
繊維収縮率（％）＝（（Ｌ１−Ｌ２）／Ｌ１）×１００　…（１）
ここで、Ｌ１は初期繊維長、Ｌ２は、水中に５分間浸せき後の繊維長である。
【００５８】
更には、前記水溶性繊維３２ｃは、水温３５℃の温度条件下で、３０〜１０００％の膨潤性を示すものが好適である。これは、膨潤度が３０％未満であると、この水溶性繊維３２ｃ、シート状支持体３２ａを構成する繊維、および高吸収性樹脂３２ｂの間で絡み合いが十分得られないため、所望のウエット強度を得られず、他方、膨潤度が１０００％を超えると、膨潤により繊維自体の強度低下し十分なウエット強度を得られなくなるからである。
【００５９】
この膨潤度は、２５０メッシュナイロンで作製した袋内に繊維５ｇを入れ、上部を輪ゴムで縛り、３５℃の水中に３０分浸せき後、脱水機（１７０Ｇ）で１分間脱水し、膨潤後の重量を測定し、下式（２）により算出される。
膨潤度（％）＝（（膨潤後の重量−初期重量）／初期重量）×１００　…（２）
【００６０】
前記バインダー樹脂３２ｄは、シート状支持体３２ａ、高吸収性樹脂３２ｂ、および水溶性繊維３２ｃのいずれにも接着性を示すものが使用可能である。そして、その中でも、疎水性の高分子主鎖に少量のイオン基を側鎖、または未端基や主鎖に持つ熱可塑性高分子であるアイオノマー樹脂が好適である。このアイオノマー樹脂の代表例は、ポリオレフィンと不飽和カルボン酸との共重合体を主成分とし分子間に金属イオン架橋した樹脂を挙げることができる。
【００６１】
このバインダー樹脂３２ｄの高吸水性樹脂３２ｂに対する添加量は０．１〜３０重量部が好適である。これは、添加量が０．１重量部未満であると、十分な固着力が得られず、添加量が３０重量部を超えると、高吸収性樹脂３２ｂの表面をバインダー樹脂３２ｄが覆う比率が大きくなりすぎて、吸収性を阻害する虞があるからである。
【００６２】
以上、本発明に係る第１実施形態について説明してきたが、補助吸収体３２の設置方法は上記に限るものではない。すなわち、第１実施形態の設置方法は、折り返して二枚重ねにした立体ギャザーシート４１同士の間に補助吸収体３２を介装するものであったが、これに限るものではない。
例えば、図４の第１変形例のＢ−Ｂ線矢視の縦断面図を示すように、立体ギャザー４３の表面側である、装着者と対面する側の面に補助吸収体３２を貼着しても良いし、または、図５の第２変形例のＢ−Ｂ線矢視の縦断面図を示すように、立体ギャザー４３の裏面側である、トップシート１１と対面する側の面に補助吸収体３２を貼着しても良い。尚、第１変形例については、立体ギャザーシート４１を経由してではなく、直接排泄液を吸収できるため、立体ギャザーシート４１における補助吸収体３２の設置部分を親水性にする必要はなく、もって立体ギャザーシート４１の全面に亘って撥水性にすることができる。
【００６３】
図６（ａ）は本発明に係る第２実施形態の使い捨ておむつの展開状態における平面図である。また、図６（ｂ）は、図６（ａ）中のＢ−Ｂ線矢視の縦断面図である。
前記第１実施形態は、立体ギャザー４３の幅方向についてはほぼその全範囲、すなわち固定端４５から自由端４７ａまでの範囲に亘って補助吸収体３２を設けていたところ、本第２実施形態は、立体ギャザー４３の前記固定端側部分４９にのみ設けて、前記自由端側部分４７には設けていない点で相違する。すなわち、本第２実施形態では、図示のように装着時にメイン吸収体３０上に起立する自由端側部分４７には補助吸収体３２が設けられずに、この部分よりも固定端側であって、メイン吸収体３０上に接離可能に重なっている固定端側部分４９に補助吸収体３２が設けられている。
【００６４】
そして、この第２実施形態の構成によれば、前記補助吸収体３２は、立体ギャザー４３の自由端４７ａよりも離れた位置に設けられているので、前記自由端４７ａに配される糸状ゴム５３ａの弾性変形は拘束され難くなっている。従って、この糸状ゴム５３ａにて付与される立体ギャザー４３の伸縮性を、この補助吸収体３２の設置部分でも損なわないようにすることができて、装着性が更に良好となる。
【００６５】
図７および図８のＢ−Ｂ線矢視の縦断面図は、それぞれに、前記第１実施形態の第１および第２変形例に対応する第２実施形態に係る変形例を示す図であるが、詳細な説明は省略する。
【００６６】
図９（ａ）は本発明に係る第３実施形態の使い捨ておむつの展開状態における平面図である。また、図９（ｂ）は、図９（ａ）中のＢ−Ｂ線矢視の縦断面図である。
前記第２実施形態は、補助吸収体３２を、幅方向については立体ギャザー４３の固定端側部分４９にのみ設けていたところ、本第３実施形態は、それとは逆に、立体ギャザー４３の自由端側部分４７にのみ設けていて固定端側部分４９には設けていない点で相違する。
【００６７】
すなわち、本第３実施形態では、図示のように装着時にメイン吸収体３０上に起立する自由端側部分４７には補助吸収体３２が設けられ、この部分よりも固定端側であってメイン吸収体３０上に接離可能に重なっている固定端側部分４９には補助吸収体３２が設けられていない。そして、この自由端側部分４７は、排泄液が立体ギャザー４３を乗り越えて漏れ出す際に、必ず乗り越えなければならない部分である。よって、立体ギャザー４３を乗り越えようとする排泄液を、該自由端側部分４７に設けられた補助吸収体３２によって有効に吸収することができる。
【００６８】
図１０および図１１のＢ−Ｂ線矢視の縦断面図は、それぞれに、前記第１実施形態の第１および第２変形例に対応する第３実施形態に係る変形例を示す図であるが、詳細な説明は省略する。
【００６９】
図１２（ａ）は本発明に係る第４実施形態の使い捨ておむつの展開状態における平面図である。また、図１２（ｂ）は、図１２（ａ）中のＢ−Ｂ線矢視の縦断面図である。
前記第１実施形態は、補助吸収体３２を、幅方向については立体ギャザー４３に設けていたところ、本第４実施形態は、立体ギャザー４３の固定端４５に設けている点で相違する。
【００７０】
すなわち、前記補助吸収体３２は、立体ギャザー４３の固定端４５の位置において、二枚重ねにされた立体ギャザーシート４１同士の間に介装されている。そして、この第４実施形態の構成によれば、前記補助吸収体３２は、立体ギャザー４３の自由端４７ａよりも離れた位置に設けられているので、前記自由端４７ａに配される糸状ゴム５３ａの弾性変形は拘束され難くなっている。従って、この糸状ゴム５３ａにて付与される立体ギャザー４３の伸縮性を、この補助吸収体３２の設置部分でも損なわないようにすることができて、装着性が更に良好となる。
【００７１】
図１３および図１４のＢ−Ｂ線矢視の縦断面図は、それぞれに、前記第１実施形態の第１および第２変形例に対応する第４実施形態に係る変形例を示す図であるが、図１３に示すように、立体ギャザーシート４１の表面側である、装着者と対面する側の面に補助吸収体３２を貼着しても良いし、または、図１４に示すように、立体ギャザーシート４１の裏面側である、バックシート２３と対面する側の面に補助吸収体３２を貼着しても良い。
【００７２】
以上、本発明に係る実施形態について説明したが、本発明は、かかる実施形態に限定されるものではなく、その要旨を逸脱しない範囲で以下に示すような変形が可能である。
本実施形態においては、特に横向き寝における排泄液漏れを防止するために、装着状態において臀部と当接する立体ギャザーの部分を補助吸収体の設置部分としたが、この設置部分はこれに限るものではなく、適宜、防止対象の漏れ形態に応じて変更しても良い。
【００７３】
本実施形態においては、補助吸収体の形状を矩形状にしたが、これに限るものではなく、前記漏れ形態に応じて適宜変更しても良い。
【００７４】
【発明の効果】
以上説明したように、本発明によれば、おむつ外への排泄液漏れを有効に抑えつつ装着性に優れた使い捨ておむつを提供することができて、特に横向き寝における排泄液漏れを確実に防止しつつ装着性に優れた使い捨ておむつを提供することができる。
【図面の簡単な説明】
【図１】図１（ａ）は、本発明に係る第１実施形態の使い捨ておむつの展開状態における平面図であり、図１（ｂ）は、図１（ａ）中のＢ−Ｂ線矢視の縦断面図である。
【図２】図１（ａ）中のＩＩ−ＩＩ線矢視の縦断面図である。
【図３】本発明に係る補助吸収体として好適に使用可能な吸液性シートの縦断面図である。
【図４】第１実施形態の第１変形例を、図１（ａ）中のＢ−Ｂ線矢視にて示す縦断面図である。
【図５】第１実施形態の第２変形例を、図１（ａ）中のＢ−Ｂ線矢視にて示す縦断面図である。
【図６】図６（ａ）は、本発明に係る第２実施形態の使い捨ておむつの展開状態における平面図であり、図６（ｂ）は、図６（ａ）中のＢ−Ｂ線矢視の縦断面図である。
【図７】第２実施形態の第１変形例を、図６（ａ）中のＢ−Ｂ線矢視にて示す縦断面図である。
【図８】第２実施形態の第２変形例を、図６（ａ）中のＢ−Ｂ線矢視にて示す縦断面図である。
【図９】図９（ａ）は、本発明に係る第３実施形態の使い捨ておむつの展開状態における平面図であり、図９（ｂ）は、図９（ａ）中のＢ−Ｂ線矢視の縦断面図である。
【図１０】第３実施形態の第１変形例を、図９（ａ）中のＢ−Ｂ線矢視にて示す縦断面図である。
【図１１】第３実施形態の第２変形例を、図９（ａ）中のＢ−Ｂ線矢視にて示す縦断面図である。
【図１２】図１２（ａ）は、本発明に係る第４実施形態の使い捨ておむつの展開状態における平面図であり、図１２（ｂ）は、図１２（ａ）中のＢ−Ｂ線矢視の縦断面図である。
【図１３】第４実施形態の第１変形例を、図１２（ａ）中のＢ−Ｂ線矢視にて示す縦断面図である。
【図１４】第４実施形態の第２変形例を、図１２（ａ）中のＢ−Ｂ線矢視にて示す縦断面図である。
【図１５】図１５（ａ）は、従来のテープ式使い捨ておむつの展開状態における平面図であり、図１５（ｂ）は、図１５（ａ）中のＢ−Ｂ線矢視の縦断面図である。
【図１６】横向き寝の体位における使い捨ておむつの胴周りでの断面図である。
【符号の説明】
１　　装着者
１０　使い捨ておむつ
１１　トップシート
２１　防漏シート
２３　外形シート、バックシート
３０　メイン吸収体
３１　吸収層
３２　補助吸収体、吸液性シート
４１　立体ギャザーシート
４２　立体ギャザーシートの延出部分
４３　立体ギャザー
４５　固定端
４７　自由端側部分（自由端側の部分）
４７ａ　自由端、折り返し部
４９　固定端側部分（固定端側の部分）
５１　サイドフラップ
【図１】
2004081575.tif 000003
【図２】
2004081575.tif 000004
【図３】
2004081575.tif 000005
【図４】
2004081575.tif 000006
【図５】
2004081575.tif 000007
【図６】
2004081575.tif 000008
【図７】
2004081575.tif 000009
【図８】
2004081575.tif 000010
【図９】
2004081575.tif 000011
【図１０】
2004081575.tif 000012
【図１１】
2004081575.tif 000013
【図１２】
2004081575.tif 000014
【図１３】
2004081575.tif 000015
【図１４】
2004081575.tif 000016
【図１５】
2004081575.tif 000017
【図１６】
2004081575.tif 000018